(57)【要約】      （修正有）【課題】ゴルフのパッティングの際に、カップまでの距離とそれに適したパターのテークバック量が読取れる距離計測機能付パターにおいて、シャフトに取付けやすい構造を有した目盛付グリップを提供する。【解決手段】目盛り１をもったグリップを手で握る本体部２と貫通穴７を構成する終端部３（別名  キャップ）の２部品構成にして、本体部にはドレインを設け、グリップ本体部を先にシャフトへ装着して溶剤が乾燥する数時間後に、今度は貫通穴を構成するキャップをグリップ終端部に接着して構成する。グリップ本体と貫通穴を一体成形した場合に比べ、２分割する事でグリップ本体の金型が簡素化できる。またシャフトにグリップ本体を装着する際にグリップ内径壁にもむらなく溶剤を付ける必要から、ドレインを指で塞ぎながら溶剤を流し込む従来方法が使える。更にグリップをシャフトに挿入する時に接着剤が解けた溶液を小さな貫通穴へ通すことも無いので、貫通穴を塞ぐ心配も無い。【選択図】図３
0003150082.tif 000002
【実用新案登録請求の範囲】
【請求項１】
グリップ終端部もしくはその周辺に設けた貫通穴を基準に、シャフト部にかけて或る間隔毎に目盛りを設けた距離計測機能付きパターのグリップにおいて、
前記グリップは手で掴むグリップ本体部と、グリップ終端部に装着するキャップの２部品構成とし、直線溝を設けた前記キャップを前記グリップ本体部に装着する事で貫通穴を設けた事を特徴とする距離計測機能付パターのグリップ。
【請求項２】
グリップ本体部の終端面中央に直線的凸を設け、キャップ中央には前記凸の高さより深い直線的凹を設けて、両者の勘合によって貫通穴を設けた事を特徴とする、請求項１記載の距離計測機能付パターのグリップ。
【考案の詳細な説明】
【技術分野】
【０００１】        本考案はゴルフのパッティングの際に、カップまでの距離とそれに適したパターのテークバック量が読取れる距離計測機能付パターにおいて、シャフトに取付けやすい目盛付グリップを提供するものである。
【背景技術】
【０００２】        従来の計測方法はボールからカップまでの歩数で測っていたが誤差が大きく、精度良く測るには相当の経験が必要であった。
一方特願２００５−５０４５０４で記載されている方法は、グリーン上のボール位置でパターのグリップ終端を目の高さに合わせて吊り下げ、腕は伸ばしたままカップを見た時の目線とパターの交点位置から、カップまでの距離数を求めるための目盛りをグリップに装着すると同時に、パッティングを振り子として扱い、カップまでの距離を転がすに必要な最適テークバック量を前述の目盛りに記載して、プレーの動きの中で瞬時に読取る手段を提供している。
他方実願２００６−００２０５１ではグリップ目盛の基準位置と目の高さを合わせ易くするために設けた貫通穴について、グリップ本体側に直線的溝を設けた所に、薄い板を装着する事で貫通穴を得る手段を提供している。
【考案の開示】
【考案が解決しようとする課題】
【０００３】        パター組立工程におけるグリップ装着方法は、シャフトに両面テープを貼って溶剤を塗布した後にグリップを挿入するため、グリップ内の空気と溶剤を吐き出すためのドレインがグリップ終端に必ず設けられている。しかし貫通穴はシャフト軸に対し直角方向でしかも小さく、ドレインと貫通穴を一体成形したグリップでは、溶剤を流し出すには不向きだった。
またドレインを備えたグリップ本体の終端面に直線的溝を設け、薄板でカバーすることで貫通穴を構成する場合でも、シャフトに組付ける際にグリップ内壁へ溶剤を塗布する必要からドレインを塞がねばならないが、そこに溝が掘られていると作業がしずらい課題があった。
【課題を解決するための手段】
【０００４】        本考案は貫通穴付きグリップをシャフトに装着する際の課題を解決するもので、グリップを手で握る本体部と貫通穴を構成する終端部（別名  キャップ）の２部品構成にして、本体部には従来のドレインを設けている。そしてグリップ本体部を先にシャフトへ装着して溶剤が乾燥する数時間後に、今度は貫通穴を構成するキャップをグリップ終端部に接着する。
【考案の効果】
【０００５】        グリップ本体と貫通穴を一体成形した場合に比べ、２分割する事でグリップ本体の金型が簡素化できる。またシャフトにグリップ本体を装着する際にグリップ内径壁にもむらなく溶剤を付ける必要から、ドレインを指で塞ぎながら溶剤を流し込む従来方法が使える。更にグリップをシャフトに挿入する時に接着剤が解けた溶液を小さな貫通穴へ通すことも無いので、貫通穴を塞ぐ心配も無い。
【考案を実施するための最良の形態】
【０００６】        図１は傾斜角θを持ったグリーン上に立って、ボール位置ＢからカップＣまでの距離Ｘを基に、最適なテークバック量をグリップＡの目盛Ｙで読み取る原理を示している。
図２は傾斜したグリーン上で振り子半経Ｒでパッティングをする場合、振り角βのテークバックによって生まれたパター先端の等価重量Ｍの位置エネルギーは、一部が打ったボールｍの運動エネルギーに変換され、そのエネルギーは芝の抵抗μによる摩擦熱とグリーン傾斜角θによる位置エネルギー等に消失する。詳しくは特願２００５−５０４５０４に記載してあるのでここでは省略する。
図３は目盛１を持ったグリップを本体部２と終端部３に分割して、本体部２のグリップ構造は従来品と比べ大きな差異は無い。即ちグリップ終端にはシャフト４に組立の際の空気と溶剤を抜く為のドレイン５を持っている。
終端部（別名キャップ）３には直線の溝６が掘られており、この面をグリップ終端面に接着する事で貫通穴７が完成する。
【実施例１】
【０００７】        図４は本考案を示すものでグリップ本体２とキャップ３がある。キャップ３の接着位置精度を安定的に高めるため、グリップ本体２の終端には直線的凸部８を設け、キャップには直線的溝（凹）６を設けて両者の高低差で貫通穴７が作られている。
【実施例２】
【０００８】        図５は本考案の応用例を示すもので、直線の溝６を持ったキャップ３の周辺にスカート９を設け、グリップ終端部との嵌め合せから高い取付け位置精度を確保している。
【図面の簡単な説明】
【０００９】
【図１】傾斜を持ったグリーン上での距離計測法を示す原理図
【図２】パッティングの振り子理論  テークバック量とボールの転がり量の関係を示す図
【図３】本考案の貫通穴を持ったグリップの構成図
【図４】本考案の実施例、キャップ取付け位置合わせと貫通穴を兼用させた構図  グリップ終端にはドレイン用穴の他に直線的凸を設け、キャップには凹を設けてその高低差で貫通穴をつくり、位置合わせも兼ねている
【図５】本考案の応用例、溝を持ったキャップ周辺に位置合せ用スカートを配置
【符号の説明】
【００１０】１．  計測用目盛。カップまでボールを転がすに必要なテークバック量を表示
２．  グリップ本体部
３．  グリップの終端部（別名  キャップ）
４．  シャフト
５．  空気と溶剤を排出するためのドレイン
６．  キャップに設けた直線的溝
７．  グリップの目盛基準位置を眼の高さに合わせる為の貫通穴
８．  グリップ本体の終端面に設けた凸部。キャップ接着の位置合わせ用
９．  キャップに設けたスカート。グリップ本体へ接着する際の位置合わせ用
Ａ    距離計測時のパターグリップ
Ｂ    グリーン上のボール位置
Ｃ    グリーン上のカップ位置
Ｒ    振り子式パッティングの半経（首付け根支点からパターヘッドまで）
Ｍ    パター先端の等価重量（パター重量、腕重量の複合）
ｍ    ボールの重量
μ    芝の転がり抵抗係数
θ    グリーンの傾斜角
Ｘ    パッティングした時のボールの転がる距離
Ｙ    グリップの目盛り基準位置から目線交差位置までの距離
【図１】
0003150082.tif 000003
【図２】
0003150082.tif 000004
【図３】
0003150082.tif 000005
【図４】
0003150082.tif 000006
【図５】
0003150082.tif 000007